(57)【特許請求の範囲】
【請求項１】
棒状の支軸と、前記支軸の下部に形成された水滴状に膨張した形状のフロート部とを備えた浮子であって、前記フロート部外周に前記支軸と平行な４本の縦溝を９０度間隔で設けることにより、当該フロート部外周に４つの壁体を形成したことを特徴とする浮子。
【請求項２】
前記支軸の頭部に、発光体を着脱可能な取付具を設けた請求項１記載の浮子。
【発明の詳細な説明】
【０００１】
【発明の属する技術分野】
本発明は、魚釣に使用する浮子に関する。
【０００２】
【従来の技術】
魚釣に使用される浮子は、エサを一定の水深に留めたり、遠くへ投げたり、魚がくわえた信号（魚信）を知るなどの重要な役目をもっている。従来より、浮子には様々な種類があり、釣り場、対象魚、水面状況などに応じて使い分けられているが、代表的なものとして、図６（ａ）〜（ｃ）に示すようなものがある。
【０００３】
図６（ａ）に示す棒状浮子は浮力が比較的小さいので、魚信に対する感度が良好で、魚信を明確にキャッチすることができる。同（ｂ）に示す円錐状浮子は浮力が比較的大きいので、いわゆる波乗り性が良い。同（ｃ）に示すウイング付浮子は投げ込み時の空中での飛行安定性および釣り中の視認性に優れ、水面での横揺れも少ない。
【０００４】
【発明が解決しようとする課題】
図６（ａ）に示す棒状浮子は、波が高いときやうねりがあるとき、波に同調することができず、波乗り性が悪い。同（ｂ）に示す円錐状浮子は波乗り性は良いが、浮力が大きいので、魚信感度が悪い。また、これらの浮子は、投げ込みの際の飛行安定性が悪く、目的ポイントに着水できないことがある。
【０００５】
一方、同（ｃ）に示すウイング付浮子は、浮力が比較的大きいので魚信に対する感度が悪く、水面において、ウイング部分に風や波を受けやすいので、横揺れが発生する。
【０００６】
このように、従来の浮子はその性能が一長一短であり、特に、魚信に対する感度および波乗り性の両方に優れた浮子がないのが実状である。したがって、現実には、釣ろうとする魚の種類、波やうねりの有無、釣り場の状況などに応じて細かく使い分ける必要がある。
【０００７】
本発明が解決しようとする課題は、飛行安定性、波乗り性および魚信感度に優れ、横揺れが少なく、視認性が良好な浮子を提供することにある。
【０００８】
前記課題を解決するため、本発明の浮子は、棒状の支軸と、支軸の下部に形成された水滴状に膨張した形状のフロート部とを備え、フロート部外周に支軸と平行な４本の縦溝を９０度間隔で設けることにより、当該フロート部外周に４つの壁体を形成したことを特徴とする。このような構成とすることにより、投げ込みの際、縦溝が空気中で整流機能を発揮するので投げ込み時の飛行安定性が良好となり、フロート部の横断面積が減少することで入水抵抗が減少するので魚信に対する感度が向上する。
【０００９】
また、高い波やうねりに対してはフロート部に生じる浮力で追従するので波乗り性も良好となる。水中においては、縦溝が水を保持した状態となって外力に対する抵抗となるので、横揺れが減少し、視認性が良くなる。
【００１０】
４本の縦溝をフロート部外周に９０度間隔で設けることにより、縦溝の両側に比較的肉厚の膨らみをもった壁体が形成されているので、空気中での整流作用が高まって飛行安定性がさらに良好となるとともに、フロート部の横断面積が小さくなることで入水抵抗が大幅に減少するので、魚信に対する感度がさらに向上する。
【００１１】
また、肉厚の壁体部分に生じる浮力によって、波やうねりに的確に追従できるので波乗り性も良好であり、これらの壁体が水中での抵抗を増大させるので、横揺れが発生せず、視認性がさらに向上する。なお、フロート部の外周に４列の縦溝を９０度間隔で設けることによって４つの壁体を形成すれば、飛行安定性、波乗り性、魚信感度、横揺れ防止機能および視認性が最も優れた浮子となる。
【００１２】
支軸の頭部に、発光体を着脱可能な取付具を設けることにより、必要に応じて、化学発光体や電気発光体を装着できるようになるので、夜釣りなどをする場合の視認性をさらに向上させることができる。
【００１３】
【発明の実施の形態】
以下、本発明の実施の形態を図面に基づいて説明する。図１，２は実施の形態である浮子を示す側面図、図３は前記浮子の平面図、図４は図２におけるＡ−Ａ線断面図である。
【００１４】
本実施形態の浮子１０では、棒状の支軸１１の下部に、水滴状に膨張した形状のフロート部１２が形成され、フロート部１２外周に支軸１１と平行な４本の縦溝１３を９０度間隔で設けることにより、縦溝１３の両側に比較的肉厚の膨らみをもった壁体１８が形成されている。支軸１１の頭部には、化学発光体１４などが着脱可能なゴムチューブ製の取付具１５を備え、支軸１１の下端には釣り糸１７に係止するための止め環１６が取り付けられている。
【００１５】
投げ込みの際、空気中を移動する浮子１０の縦溝１３および壁体１８が空気中で整流機能を発揮するので、投げ込み時の飛行安定性が良好であり、目的ポイントに確実に着水させることができる。
【００１６】
図３，４に示すように、フロート部１２の外周に４列の縦溝１３を設けることによってフロート部１２の横断面積が小さくなり、入水抵抗が大幅に減少しているので、魚信に対する感度が優れており、小さな魚信であっても明確にキャッチすることができる。
【００１７】
一方、使用中の大きな波やうねりに対しては、４つの壁体１８に生じる浮力によって確実に追従していくことができるので、波乗り性も極めて良好であり、どのような波に対しても同調することができる。
【００１８】
また、図５に示すように、水中においては、４列の縦溝１３がそれぞれ水を保持した状態となるとともに、外力を受けたとき４つの壁体１８に生じる水の抵抗が外力に対する抗力となるので、横揺れが発生せず、視認性も優れている。なお、縦溝の数は４列に限定するものではないので、浮子の形状、大きさ、使用目的などに応じて、２〜３列あるいは５列以上の縦溝を設けることも可能である。
【００１９】
支軸１１の頭部にある取付具１５には、必要に応じて、化学発光体１４や電気発光体など（商品名：ケミホタル、リチウムウキトップなど）を着脱可能であるため、夜釣りなどをする場合に化学発光体１４を装着すれば、視認性をさらに向上させることができる。
【００２０】
浮子１０を構成する材質は特に限定しないので、桐やバルサやコルクなどの木材、発泡ポリスチレンなどのプラスチックその他天然素材などを用いて製作することができるが、桐などの木材を使用して浮子に適度の重量をもたせれば、遠投時の飛距離を延ばすことができ、風向きによる悪影響も受けにくくなり、目的ポイントに確実に着水させることができる。
【００２１】
【発明の効果】
本発明により、以下に示す効果を奏する。
【００２２】
（１）支軸の下部に形成された水滴状に膨張した形状のフロート部外周に支軸と平行な４本の縦溝を９０度間隔で設けたことにより、投げ込みの際、縦溝が空気中で整流作用を発揮するので飛行安定性が良好となり、フロート部の横断面積の減少で入水抵抗が減少するので魚信感度が向上し、波やうねりに対しフロート部の浮力で追従することで波乗り性も良好となる。また、水中では縦溝が水を保持して外力に対する抵抗となるので、横揺れが減少し、視認性が良くなる。
【００２３】
（２）４本の縦溝をフロート部外周に９０度間隔で設けたことにより、縦溝の両側に比較的肉厚の壁体が形成されるので、空気中での整流作用が高まって飛行安定性がさらに良好となるとともに、フロート部の横断面積が小さくなることで入水抵抗が大幅に減少するので、魚信に対する感度がさらに向上する。また、肉厚の壁体部分に生じる浮力によって波やうねりに的確に追従するので波乗り性も良好であり、これらの壁体および縦溝が水中での抵抗を増大させるので、横揺れが発生せず、視認性がさらに良くなる。
【００２４】
（３）支軸の頭部に、発光体を着脱可能な取付具を設けることにより、必要に応じて、化学発光体や電気発光体を装着できるようになるので、夜釣りなどをする場合の視認性をさらに向上させることができる。
【図面の簡単な説明】
【図１】実施の形態である浮子を示す側面図である。
【図２】図１に示す浮子を４５度回転させた状態で見た側面図である。
【図３】図１に示す浮子の平面図である。
【図４】図２におけるＡ−Ａ線断面図である。
【図５】図１に示す浮子の使用状態を示す説明図である。
【図６】従来の浮子を示す側面図である。
【符号の説明】
１０  浮子
１１  支軸
１２  フロート部
１３  縦溝
１４  化学発光体
１５  取付具
１６  止め環
１７  釣り糸
１８  壁体
【図１】
0004145442.tif 000002
【図２】
0004145442.tif 000003
【図３】
0004145442.tif 000004
【図４】
0004145442.tif 000005
【図５】
0004145442.tif 000006
【図６】
0004145442.tif 000007